(57)【要約】【課題】第２の伝送系の最大伝送レート以下の範囲になるように第２の伝送系に接続される複数の機器が最適に選択されたネットワーク接続装置、ネットワーク接続方法及び記憶媒体を提供することを目的とする。【解決手段】第１、第２の通信手段３、５を介してＩＥＥＥ１３９４規格に準拠した伝送路２に基づく信号形式を無線通信路４に基づく信号形式に変換すると共に、無線通信路４に接続される複数の機器からの要求を通信手順変換手段６により判断し、無線通信路４の最大伝送レート以下の範囲になるように無線通信路４に接続する機器が選択されるように構成されたものである。【選択図】  図１
2004207997.tif 000002
【特許請求の範囲】
【請求項１】
複数の機器が第１の伝送系を介して接続され、前記第１の伝送系に接続される前記複数の機器間と通信を行うための機能を有する第１の通信手段と、少なくとも１つ以上のモジュールが前記第１の伝送系とは異なるプロトコルの第２の伝送系に接続され、前記第２の伝送系に接続されるモジュール間と通信を行うための機能を有する第２の通信手段と、前記第１の伝送系に基づく通信手順を前記第２の伝送系に基づく通信手順に変換する通信手順変換手段とを備え、前記第１、第２の通信手段を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを前記通信手順変換手段により判断し、前記第２の伝送系に接続されるモジュールからの要求伝送レートを満足する場合は、前記第２の伝送系の最大伝送レート以下の範囲になるように前記第２の伝送系に接続するモジュールが選択されるようにしたネットワーク接続装置。
【請求項２】
通信手順変換手段は、第１の伝送系と第２の伝送系とに基づくそれぞれの信号形式を互いに変換することが可能であるようにした請求項１に記載のネットワーク接続装置。
【請求項３】
モジュールは、機器と無線伝送装置よりなり、この伝送装置の中には、通信手順変換手段を有しており、第２の伝送系に接続される複数のモジュール内の機器からの要求を前記通信手順変換手段またはモジュール内の無線伝送装置の通信手順変換手段の少なくとも１つにより判断し、前記第２の伝送系の最大伝送レート以下の範囲になるように前記第２の伝送系に接続するモジュールが選択されるようにした請求項１に記載のネットワーク接続装置。
【請求項４】
第１の伝送系と第２の伝送系とのどちらか一方が、同期伝送可能なＩＥＥＥ１３９４方式の伝送系である請求項１に記載のネットワーク接続装置。
【請求項５】
前記第１の伝送系と前記第２の伝送系の伝送レートをユーザに認識させるための表示手段を有する請求項１に記載のネットワーク接続装置。
【請求項６】
データ送受信の対象となるデータは映像・音声データを含み、第１の伝送系に接続される複数の機器は撮像機能、映像再生機能、映像記録機能及び映像表示機能の少なくとも１つ以上の機能を有し、また第２の伝送系に接続されるモジュールは、撮像機能、映像再生機能、映像記録機能及び映像表示機能の少なくとも１つ以上の機能を有する請求項１に記載のネットワーク接続装置。
【請求項７】
第２の伝送系のデータは第１の伝送系に接続された少なくとも１つ以上の機器を制御するための制御データを含む請求項１に記載のネットワーク接続装置。
【請求項８】
複数の機器が第１の伝送系を介して接続され、前記第１の伝送系に接続される前記複数の機器間と通信を行うための第１の通信工程と、少なくとも１つ以上のモジュールが前記第１の伝送系とは異なるプロトコルの第２の伝送系に接続され、前記第２の伝送系に接続されるモジュール間と通信を行うための第２の通信工程と、前記第１の伝送系に基づく通信手順を前記第２の伝送系に基づく通信手順に変換する通信手順変換工程と、前記第１、第２の通信工程を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを判断する工程と、前記第２の伝送系に接続されるモジュールからの要求伝送レートを満足する場合は、前記第２の伝送系の最大伝送レート以下の範囲になるように前記第２の伝送系に接続するモジュールが選択される工程とを備えたネットワーク接続方法。
【請求項９】
通信手順変換工程は、第１の伝送系と第２の伝送系に基づくそれぞれの信号形式を互いに変換することが可能であるようにした請求項８に記載のネットワーク接続方法。
【請求項１０】
モジュールは、機器と無線伝送工程よりなり、この伝送工程の中には、通信手順変換工程を有しており、第２の伝送系に接続されるモジュール内の機器からの要求を前記通信手順変換工程またはモジュール内の無線伝送装置の通信手順変換工程の少なくとも１つにより判断し、前記第２の伝送系の最大伝送レート以下の範囲になるように前記第２の伝送系に接続するモジュールが選択されるようにした請求項８に記載のネットワーク接続方法。
【請求項１１】
第１の伝送系と第２の伝送系のどちらか一方が同期伝送可能なＩＥＥＥ１３９４方式の伝送系である請求項８に記載のネットワーク接続方法。
【請求項１２】
第１の伝送系と第２の伝送系の伝送レートをユーザに認識させるための表示工程を有する請求項８に記載のネットワーク接続方法。
【請求項１３】
データ送受信の対象となるデータは映像・音声データを含み、第１の伝送系に接続される複数の機器は撮像機能、映像再生機能、映像記録機能及び映像表示機能の少なくとも１つ以上の機能を有し、また第２の伝送系に接続されるモジュールは、撮像機能、映像再生機能、映像記録機能及び映像表示機能の少なくとも１つ以上の機能を有する請求項８に記載のネットワーク接続方法。
【請求項１４】
第２の伝送系のデータは前記第２の伝送系に接続された少なくとも１つ以上の機器を制御するための制御データを含む請求項８に記載のネットワーク接続方法。
【請求項１５】
複数の機器が第１の伝送系を介して接続され、前記第１の伝送系に接続される前記複数の機器間と通信を行うための第１の通信工程と、少なくとも１つ以上のモジュールが前記第１の伝送系とは異なるプロトコルの第２の伝送系に接続され、前記第２の伝送系に接続されるモジュール間と通信を行うための第２の通信工程と、前記第１の伝送系に基づく通信手順を前記第２の伝送系に基づく通信手順に変換する通信手順変換工程と、前記第１、第２の通信工程を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを判断する工程と、前記第２の伝送系に接続されるモジュールからの要求伝送レートを満足する場合は、前記第２の伝送系の最大伝送レート以下の範囲になるように前記第２の伝送系に接続するモジュールが選択される工程とを実行させるためのプログラムを記憶したコンピュータ読み取り可能な記憶媒体。
【発明の詳細な説明】
【０００１】
【発明の属する技術分野】
本発明は複数の機器の信号を同期伝送可能なＩＥＥＥ１３９４等の有線伝送系で接続された機器と、他の異なる無線伝送系で接続された機器との間で信号伝送を可能にするのに好適のネットワーク接続装置、ネットワーク接続方法及び記憶媒体に関する。
【０００２】
【従来の技術】
従来のネットワーク接続装置としては、特許文献１に記載されたものが知られている。このネットワーク接続装置について図３を用いて説明する。図３はネットワーク接続装置のネットワークシステム構成を表すブロック図である。図３において、１０１は第１の伝送系、１０２は第１の通信手段、１０３は第２の伝送系、１０４は第２の通信手段、１０５は能力通知手段、１０６は伝送レート通知手段、１０７は通信手順変換手段、１０８は信号形式変換手段である。
【０００３】
図３において複数の機器が第１の伝送系１０１を介して接続され、前記第１の伝送系１０１に接続される前記複数の機器間で通信を行うための機能を備えた第１の通信手段１０２と、少なくとも１つ以上の機器が前記第１の伝送系１０１とは異なるプロトコルの第２の伝送系１０３に接続され、前記第２の伝送系１０３に接続される機器間で通信を行うための機能を備えた第２の通信手段１０４と、前記第２の通信手段１０４を備えていることを前記第１の通信手段１０２を介して前記第１の伝送系１０１に接続される全ての機器に通知する能力通知手段１０５と、前記第２の伝送系１０３の最大伝送レートを前記第１の通信手段１０２を介して前記第１の伝送系１０１に接続されるすべての機器に通知する伝送レート通知手段１０６と、前記第１の伝送系１０１に基づく通信手順を前記第２の伝送系１０３に基づく通信手段に変換する通信手順変換手段１０７と、前記第１の伝送系１０１に基づく信号形式を前記第２の伝送系１０３に基づく信号系に変換する信号形式変換手段１０８とを備えた構成である。
【０００４】
【特許文献１】
特開平１０−１５４９９６号公報
【０００５】
【発明が解決しようとする課題】
このようなネットワーク接続装置においては第２の伝送系１０３に接続される複数の機器からの要求を判断する機能がないため、第２の伝送系１０３の最大伝送レート以下の範囲になるように、第２の伝送系１０３に複数の機器を最適に接続することが困難であった。
【０００６】
本発明はこの課題を解決するものであり、前記第２の伝送系の最大伝送レート以下の範囲になるように第２の伝送系に複数の機器を最適に接続可能なネットワーク接続装置、ネットワーク接続方法及び記憶媒体を提供することを目的とする。
【０００７】
【課題を解決するための手段】
この課題を解決するために本発明のネットワーク接続装置は、複数の機器が第１の伝送系を介して接続され、前記第１の伝送系に接続される前記複数の機器間と通信を行うための機能を有する第１の通信手段と、少なくとも１つ以上のモジュールが前記第１の伝送系とは異なるプロトコルの第２の伝送系に接続され、前記第２の伝送系に接続されるモジュール間と通信を行うための機能を有する第２の通信手段と、前記第１の伝送系に基づく通信手順を前記第２の伝送系に基づく通信手順に変換する通信手順変換手段とを備え、前記第１、第２の通信手段を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを前記通信手順変換手段により判断し、前記第２の伝送系に接続されるモジュールからの要求伝送レートを満足する場合は、前記第２の伝送系の最大伝送レート以下の範囲になるように前記第２の伝送系に接続するモジュールが選択されるように構成されている。この構成により、第２の伝送系の最大伝送レート以下の範囲になるように、第２の伝送系にモジュールを最適に接続することができる作用を有する。
【０００８】
本発明のネットワーク接続方法は、複数の機器が第１の伝送系を介して接続され、前記第１の伝送系に接続される前記複数の機器間と通信を行うための第１の通信工程と、少なくとも１つ以上のモジュールが前記第１の伝送系とは異なるプロトコルの第２の伝送系に接続され、前記第２の伝送系に接続されるモジュール間と通信を行うための第２の通信工程と、前記第１の伝送系に基づく通信手順を前記第２の伝送系に基づく通信手順に変換する通信手順変換工程と、前記第１、第２の通信工程を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを判断する工程と、前記第２の伝送系に接続されるモジュールからの要求伝送レートを満足する場合は、前記第２の伝送系の最大伝送レート以下の範囲になるように前記第２の伝送系に接続するモジュールが選択される工程とから構成されている。この構成により第２の伝送系の最大伝送レート以下の範囲になるように第２の伝送系にモジュールを最適に接続することができるという作用を有する。
【０００９】
本発明の記憶媒体は、複数の機器が第１の伝送系を介して接続され、前記第１の伝送系に接続される前記複数の機器間と通信を行うための第１の通信工程と、少なくとも１つ以上のモジュールが前記第１の伝送系とは異なるプロトコルの第２の伝送系に接続され、前記第２の伝送系に接続されるモジュール間と通信を行うための第２の通信工程と、前記第１の伝送系に基づく通信手順を前記第２の伝送系に基づく通信手順に変換する通信手順変換工程と、前記第１、第２の通信工程を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを判断する工程と、前記第２の伝送系に接続されるモジュールからの要求伝送レートを満足する場合は、前記第２の伝送系の最大伝送レート以下の範囲になるように前記第２の伝送系に接続するモジュールが選択される工程とを実行させるためのプログラムを記憶したコンピュータ読み取り可能な記憶媒体である。この構成により、第２の伝送系の最大伝送レート以下の範囲になるように、第２の伝送系にモジュールを最適に接続することができる作用を有する。
【００１０】
【発明の実施の形態】
本発明の請求項１に記載の発明は、複数の機器が第１の伝送系を介して接続され、前記第１の伝送系に接続される前記複数の機器間と通信を行うための機能を有する第１の通信手段と、少なくとも１つ以上のモジュールが前記第１の伝送系とは異なるプロトコルの第２の伝送系に接続され、前記第２の伝送系に接続されるモジュール間と通信を行うための機能を有する第２の通信手段と、前記第１の伝送系に基づく通信手順を前記第２の伝送系に基づく通信手順に変換する通信手順変換手段とを備え、前記第１、第２の通信手段を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを前記通信手順変換手段により判断し、前記第２の伝送系に接続されるモジュールからの要求伝送レートを満足する場合は、前記第２の伝送系の最大伝送レート以下の範囲になるように前記第２の伝送系に接続するモジュールが選択されるように構成されている。この構成により、第２の伝送系の最大伝送レート以下になるように第２の伝送系にモジュールを最適に接続することができる作用を有する。
【００１１】
請求項２記載の発明は、請求項１に記載の発明において、通信手順変換手段は、第１の伝送系と第２の伝送系とに基づくそれぞれの信号形式を互いに変換することが可能であるようにしてあるため、双方向にデータ通信することができる作用を有する。
【００１２】
請求項３記載の発明は、請求項１に記載の発明において、モジュールはそれぞれ機器とこの機器に接続された無線伝送装置よりなり、この無線伝送装置の中にはそれぞれ第２の通信手順変換手段を有しており、第２の伝送系に接続される複数のモジュール内の機器からの要求通信手順変換手段または前記第２の通信手順変換手段の少なくとも１つ以上により判断し、前記第２の伝送系の最大伝送レート以下の範囲になるように前記第２の伝送系に接続するモジュールが選択されるように構成されているため、モジュール側で機器の要求を迅速に判断することができ第２の伝送系に接続するモジュールを選択するまでにモジュール側から第２の伝送系に不要なデータを送出させないという作用を有する。
【００１３】
請求項４記載の発明は、請求項１に記載の発明において、第１の伝送系と第２の伝送系とのどちらか一方が、同期伝送可能なＩＥＥＥ１３９４方式の伝送系であることが可能にしてあるため、ＩＥＥＥ１３９４インターフェースを搭載した機器と接続することができる作用を有する。
【００１４】
請求項５記載の発明は、請求項１に記載の発明において、第１の伝送系と第２の伝送系の伝送レートをユーザに認識させるための表示手段を有することで、ユーザに対して現在の伝送系の伝送レート及び使用しているデータの伝送レートを認識させることができる作用を有する。
【００１５】
請求項６記載の発明は、請求項１に記載の発明において、データ送受信の対象となるデータは映像・音声データを含み、第１の伝送系に接続される複数の機器は撮像機能、映像再生機能、映像記録機能及び映像表示機能の少なくとも１つ以上の機能を有し、また第２の伝送系に接続されるモジュールは、撮像機能、映像再生機能、映像記録機能及び映像表示機能の少なくとも１つ以上の機能を有することで、前記第１の伝送系の機器と前記第２の伝送系の機器間で映像・音声データを送受信することができる作用を有する。
【００１６】
請求項７記載の発明は、請求項１に記載の発明において、第２の伝送系のデータは第１の伝送系に接続された複数のすべてあるいはいずれか１つ以上の機器を制御するための制御データを含むことで前記第２の伝送系に接続されているモジュールから前記第１の伝送系に接続された複数のすべてあるいはいずれか１つ以上の機器を制御することができる作用を有する。
【００１７】
本発明の請求項８に記載の発明は、複数の機器が第１の伝送系を介して接続され、前記第１の伝送系に接続される前記複数の機器間と通信を行うための第１の通信工程と、少なくとも１つ以上のモジュールが前記第１の伝送系とは異なるプロトコルの第２の伝送系に接続され、前記第２の伝送系に接続されるモジュール間と通信を行うための第２の通信工程と、前記第１の伝送系に基づく通信手順を前記第２の伝送系に基づく通信手順に変換する通信手順変換工程と、前記第１、第２の通信工程を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを判断する工程と、前記第２の伝送系に接続されるモジュールからの要求伝送レートを満足する場合は、前記第２の伝送系の最大伝送レート以下の範囲になるように前記第２の伝送系に接続するモジュールが選択される工程とから構成されている。この構成により第２の伝送系の最大伝送レート以下の範囲になるように第２の伝送系に複数のモジュールを最適に接続することができるという作用を有する。
【００１８】
請求項９記載の発明は、請求項８に記載の発明において、通信手順変換工程は、第１の伝送系と第２の伝送系に基づくそれぞれの信号形式を互いに変換することが可能であるようにしてあるため、双方向にデータ通信することができるという作用を有する。
【００１９】
請求項１０記載の発明は、請求項８に記載の発明において、モジュールは、それぞれ機器とこの機器に接続された無線伝送工程よりなり、この伝送工程はそれぞれ第２の通信手順変換工程を有しており、第２の伝送系に接続される複数のモジュール内の機器からの要求を通信手順変換工程または前記第２の通信手順変換工程の少なくとも１つ以上により判断し、前記第２の伝送系の最大伝送レート以下の範囲になるように前記第２の伝送系に接続するモジュールが選択されるように構成されているため、モジュール側で機器の要求を迅速に判断することができ第２の伝送系に接続するモジュールを選択するまでにモジュール側から第２の伝送系に不要なデータを送出させないという作用を有する。
【００２０】
請求項１１記載の発明は、請求項８に記載の発明において、第１の伝送系と第２の伝送系のどちらか一方が同期伝送可能なＩＥＥＥ１３９４方式の伝送系であることが可能にしてあるため、ＩＥＥＥ１３９４インターフェースを搭載した機器と接続を可能とすることができるという作用を有する。
【００２１】
請求項１２記載の発明は、請求項８に記載の発明において、第１の伝送系と第２の伝送系の伝送レートをユーザに認識させるための表示工程を有することで、ユーザに対して現在の伝送系の伝送レート及び使用しているデータの伝送レートを認識させることができるという作用を有する。
【００２２】
請求項１３記載の発明は、請求項８に記載の発明において、データ送受信の対象となるデータは映像・音声データを含み、第１の伝送系に接続される複数の機器は撮像機能、映像再生機能、映像記録機能及び映像表示機能の少なくとも１つ以上の機能を有し、また第２の伝送系に接続されるモジュールは、撮像機能、映像再生機能、映像記録機能及び映像表示機能の少なくとも１つ以上の機能を有することで、前記第１の伝送系の機器と前記第２の伝送系の機器間で映像データを送受信することができるという作用を有する。
【００２３】
請求項１４記載の発明は、請求項８に記載の発明において、第２の伝送系のデータは前記第２の伝送系に接続された少なくとも１つ以上のモジュールを制御するための制御データを含むことで前記第２の伝送系に接続されているモジュールから第１の伝送系に接続された少なくとも１つ以上の機器を制御することができるという作用を有する。
【００２４】
本発明の請求項１５に記載の発明は、複数の機器が第１の伝送系を介して接続され、前記第１の伝送系に接続される前記複数の機器間と通信を行うための第１の通信工程と、少なくとも１つ以上のモジュールが前記第１の伝送系とは異なるプロトコルの第２の伝送系に接続され、前記第２の伝送系に接続されるモジュール間と通信を行うための第２の通信工程と、前記第１の伝送系に基づく通信手順を前記第２の伝送系に基づく通信手順に変換する通信手順変換工程と、前記第１、第２の通信工程を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを判断する工程と、前記第２の伝送系に接続されるモジュールからの要求伝送レートを満足する場合は、前記第２の伝送系の最大伝送レート以下の範囲になるように前記第２の伝送系に接続するモジュールが選択される工程とを実行させるためのプログラムが記憶されているため、第２の伝送系の最大伝送レート以下の範囲になるように、第２の伝送系にモジュールを最適に接続させるための所定の工程をコンピュータに実行させることができるという作用を有する。
【００２５】
以下、本発明の実施の形態について、図１、図２を用いて説明する。
【００２６】
（実施の形態１）
図１は本発明のネットワーク接続装置の実施の形態１のブロック図である。
【００２７】
図１において１はネットワーク接続装置、２は第１の伝送系としてのＩＥＥＥ１３９４規格に準拠した伝送路、３は第１の通信手段、４は第２の伝送系としての無線通信路、５は第２の通信手段、６は通信手順変換手段であり、マイクロコンピュータ６ａとＲＯＭ６ｂとＲＡＭ６ｃよりなる。７は無線伝送装置、８は無線伝送装置７と機器としてのテレビが接続されたモジュール、９は無線伝送装置７と機器としてのテレビが接続されたモジュールである。
【００２８】
ネットワーク接続装置１はＩＥＥＥ１３９４規格に準拠した伝送路２に接続された複数の機器と無線伝送装置７と無線通信４と接続されたモジュール８とモジュール９からなる。
【００２９】
図１を用いて本発明のネットワーク接続装置１の構成を以下説明する。
【００３０】
図１において複数の機器（ＤＶＨＳ、ＤＴＶ、ＢＳデジタルチューナ等）がＩＥＥＥ１３９４規格に準拠した伝送路２を介して接続され、前記伝送路２に接続される前記複数の機器間で通信を行うための機能を有する第１の通信手段３と、少なくとも１つ以上の機器が前記ＩＥＥＥ１３９４規格とは異なるプロトコルの無線通信路４に接続され、前記無線伝送路４に接続される複数の機器（例えば無線伝送装置を介したテレビ受像装置等）間で通信を行うための機能を有する第２の通信手段５と、前記伝送路２に基づく通信手段を前記無線通信路４に基づく通信手順に変換する通信手順変換手段６とを備え、前記第１、第２の通信手段３、５を介して前記伝送路２に基づく信号形式を前記無線通信路４に基づく信号形式に変換すると共に、前記無線通信路４に接続される複数の機器からの要求を前記通信手順変換手段６により判断し、前記無線通信路４の最大伝送レート以下の範囲になるように前記無線通信路４に接続する機器が選択できるように構成されている。
【００３１】
このように構成されているため、第２の伝送系としての無線通信路４の最大伝送レート以下の範囲になるように無線通信路４に接続される最適な機器を選択することが可能となる。本実施の形態１においては、第１の伝送系としてのＩＥＥＥ１３９４規格に準拠した伝送路２から第２の伝送系としての無線通信路４に向かう信号及び通信の流れについて説明してきたが、前記通信手順変換手段６の前記第１の伝送系と前記第２の伝送系とに基づくそれぞれの通信手順を互いに変換することが可能であり、前記第１の伝送系と前記第２の伝送系とに基づくそれぞれの信号形式を互いに変換することが可能である。本実施の形態１においては第１の伝送系としてＩＥＥＥ１３９４規格に準拠した伝送路２の例について説明してきたが、これ以外にもＥｔｈｅｒｎｅｔ（ＸＥＲＯＸ社の登録商標）に準拠した伝送路またはＵＳＢ規格に準拠した伝送路を用いることが可能である。
【００３２】
本実施の形態１においては第２の伝送系として無線通信路４について説明してきたが、無線通信路としてはＩＥＥＥ８０２．１１ａ規格に準拠した無線通信路、ＩＥＥＥ８０２．１１ｂ規格に準拠した無線通信路またはＢｌｕｅｔｏｏｔｈ規格に準拠した無線通信路等多くのものを用いることが可能であり、第１の伝送系である有線伝送系としては例えばＲＳ−２３２Ｃ規格に準拠した伝送路等を用いることも可能である。
【００３３】
本実施の形態１において無線伝送装置７の中に有する通信手順変換手段において無線通信路４に接続される複数のモジュールからの要求を判断し前記無線通信路４の最大伝送レート以下の範囲になるように前記無線通信路４に接続するモジュール８、９のいずれかが選択される構成について説明してきたが、複数のモジュール８、９にはそれぞれ機器とこの機器に接続された無線伝送装置７を備え、さらにこの無線伝送装置７の中にはそれぞれ第２の通信手順変換手段を有する構成も可能であり、無線通信路４に接続される複数のモジュール８、９の機器からの要求を通信手順変換手段６またはモジュール８、９にそれぞれ備えられた無線伝送装置７の中に有する第２の通信手順変換手段の少なくとも１つ以上により判断し前記無線通信路４の最大伝送レート以下の範囲になるように前記無線通信路４に接続するモジュール８、９のいずれか等を選択させるようにすることも可能である。
【００３４】
このように構成することによりモジュール８、９等の中に有する機器の要求を迅速に判断することができ、第２の伝送系としての無線通信路４に接続するモジュール８、９等を選択するまでに、第２の伝送系としての無線通信路４に不要なデータを送出させないようにすることが可能になる。
【００３５】
モジュール８、９においては機器としてのテレビに接続された無線伝送装置７をそれぞれ別ブロックとして構成されたものについて説明してきたが、モジュール内のテレビ部分と無線伝送装置を一体にすることも当然可能である。さらにモジュール８、９内の機器としての例えばテレビに無線伝送装置が一体になっている構成である場合は、当然ＩＥＥＥ１３９４規格に準拠した伝送路等や第１の通信手段それに続く第２の通信手段等は当然不要になる。また、無線伝送装置７と機器の接続されている場合で説明している本実施の形態１のものについても機器と無線伝送装置７が一体になっている場合はＩＥＥＥ１３９４規格に準拠した伝送路２とそれに接続される第１の通信手段３等は不要になることは当然である。
【００３６】
（実施の形態２）
図２は本発明のネットワーク接続装置の実施の形態２のブロック図である。
【００３７】
図２において、１１はネットワーク接続装置、１２は第１の伝送系としてのＩＥＥＥ１３９４規格に準拠した伝送路、１３は第１の通信手段、１４は第２の伝送系としての無線通信路、１５は第２の通信手段、１６は通信手順変換手段であり、マイクロコンピュータ１６ａとＲＯＭ１６ｂとＲＡＭ１６ｃよりなる。１７は無線伝送装置、１８は無線伝送装置１７と機器としてのテレビが接続されたモジュール、１９は無線伝送装置１７と機器としてのテレビが接続されたモジュールである。２０は表示手段である。
【００３８】
図２において複数の機器（ＤＶＨＳ、ＤＴＶ、ＢＳデジタルチューナ等）がＩＥＥＥ１３９４規格に準拠した伝送路１２を介して接続され、前記伝送路１２に接続される前記複数の機器間で通信を行うための機能を有する第１の通信手段１３と、少なくとも１つ以上の機器が前記ＩＥＥＥ１３９４規格とは異なるプロトコルの無線通信路１４に接続され、前記無線通信路１４に接続される複数のモジュール１８や１９間で通信を行うための機能を有する第２の通信手段１５と、前記伝送路１２に基づく通信手段を前記無線通信路１４に基づく通信手順に変換する通信手順変換手段１６と前記伝送路に前記無線通信路１４の伝送レートを表示する表示手段２０とを備え、前記第１、第２の通信手段１３、１５を介して前記伝送路１２に基づく信号形式を前記無線通信路１４に基づく信号形式に変換すると共に、前記無線通信路１４に接続される複数の機器からの要求を前記通信手順変換手段１６により判断し、前記無線通信路１４の最大伝送レート以下の範囲になるように前記無線通信路１４に接続する機器が選択できるように構成されている。
【００３９】
このように構成されているため、モジュール１８内のＴＶからの制御データを、モジュール１８内の無線伝送装置１７から無線通信路１４に伝送し、第２の信手段１５、第１の通信手段１３を介して伝送路１２に接続された１つ以上の複数の機器へ伝送しその機器を制御することが可能である。また、第１の通信手段１３で伝送路１２の現在の伝送レート及び使用している伝送レートを取得し表示手段２０に表示させること、第２の通信手段１５で無線通信路１４の現在の伝送レート及び使用している伝送レートを取得し表示手段２０に表示させることが可能である。また、伝送路１２に接続されたＤＶＨＳから映像・音声データを伝送路１２に送出し第１の通信手段１３、第２の通信手段１５を介して無線通信路１４に接続された１つ以上の複数のモジュール１８、１９内のＴＶへ映像・音声を伝送することが可能である。
【００４０】
本実施の形態２について映像再生機能を持つＤＶＨＳと映像表示機能を持つＴＶについて説明してきたが、撮像機能を持つビデオカメラ、映像録画機能を持つＤＶＨＳを用いることが可能である。
【００４１】
また、本発明はソフトウェアのプログラムコードを記憶した記憶媒体を、システム装置に供給し、そのシステムあるいは装置のコンピュータ（やＣＰＵやＭＰＵ）が記憶媒体に格納されたプログラムコードを読み出して実行することによっても、達成されることは言うまでもない。この場合、記憶媒体から読み出されたプログラムコード自体が各実施の形態の機能を実現することとなり、そのプログラムコードを記憶した記憶媒体は本発明を構成することになる。
【００４２】
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、ＣＤ−ＲＷ、磁気テープ、不揮発性のメモリカード、ＤＶＤ−ＲＯＭ、ＤＶＤ−Ｒ、ＤＶＤ−ＲＷ等を用いることができる。
【００４３】
また、コンピュータが読み出したプログラムコードを実行することにより、各実施の機能が実現されるだけでなく、そのプログラムコードの指示に基づき、コンピュータ上で稼動しているＯＳ等が実際の処理の一部または全部を行い、その処理によって各実施の形態の機能が実現される場合も含まれることは言うまでもない。
【００４４】
さらに、記憶媒体から読み出されたプログラムコードが、コンピュータに挿入された拡張機能ボードやコンピュータに接続されて機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって各実施の形態の機能が実現される場合も含まれることは言うまでもない。
【００４５】
【発明の効果】
以上のように本発明は、ネットワーク接続装置において複数の機器が第１の伝送系を介して接続され、前記第１の伝送系に接続される前記複数の機器間と通信を行うための機能を有する第１の通信手段と、少なくとも１つ以上のモジュールが前記第１の伝送系とは異なるプロトコルの第２の伝送系に接続され、前記第２の伝送系に接続されるモジュール間と通信を行うための機能を有する第２の通信手段と、前記第１の伝送系に基づく通信手順を前記第２の伝送系に基づく通信手順に変換する通信手順変換手段とを備え、前記第１、第２の通信手段を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを前記通信手順変換手段により判断し、前記第２の伝送系に接続されるモジュールからの要求伝送レートを満足する場合は、前記第２の伝送系の最大伝送レート以下の範囲になるように前記第２の伝送系に接続するモジュールが選択されるように構成されているため、前記第２の伝送系の最大伝送レート以下の範囲になるように前記第２の伝送系に接続されるモジュールが最適に選択することを可能とする。
【００４６】
また、本発明のネットワーク接続方法は、複数の機器が第１の伝送系を介して接続され、前記第１の伝送系に接続される前記複数の機器間と通信を行うための第１の通信工程と、少なくとも１つ以上のモジュールが前記第１の伝送系とは異なるプロトコルの第２の伝送系に接続され、前記第２の伝送系に接続されるモジュール間と通信を行うための第２の通信工程と、前記第１の伝送系に基づく通信手順を前記第２の伝送系に基づく通信手順に変換する通信手順変換工程と、前記第１、第２の通信工程を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを判断する工程と、前記第２の伝送系に接続されるモジュールからの要求伝送レートを満足する場合は、前記第２の伝送系の最大伝送レート以下の範囲になるように前記第２の伝送系に接続するモジュールが選択される工程とから構成されているため、第２の伝送系の最大伝送レート以下の範囲になるように第２の伝送系に接続されるモジュールが最適に選択することを可能にする。
【００４７】
また、本発明の記憶媒体は、複数の機器が第１の伝送系を介して接続され、前記第１の伝送系に接続される前記複数の機器間と通信を行うための第１の通信工程と、少なくとも１つ以上のモジュールが前記第１の伝送系とは異なるプロトコルの第２の伝送系に接続され、前記第２の伝送系に接続されるモジュール間と通信を行うための第２の通信工程と、前記第１の伝送系に基づく通信手順を前記第２の伝送系に基づく通信手順に変換する通信手順変換工程と、前記第１、第２の通信工程を介して前記第１の伝送系に基づく信号形式を前記第２の伝送系に基づく信号形式に変換すると共に、前記第２の伝送系に接続されるモジュールからの要求と前記第２の伝送系の最大伝送可能なレートを判断する工程と、前記第２の伝送系に接続されるモジュールからの要求伝送レートを満足する場合は、前記第２の伝送系の最大伝送レート以下の範囲になるように前記第２の伝送系に接続するモジュールが選択される工程とを実行させるためのプログラムが記憶されているため、第２の伝送系の最大伝送レート以下の範囲になるように、第２の伝送系にモジュールを最適に接続させるための所定の工程をコンピュータに実行させることができる。
【図面の簡単な説明】
【図１】本発明の実施の形態１におけるネットワーク接続装置のブロック図
【図２】本発明の実施の形態２におけるネットワーク接続装置のブロック図
【図３】従来のネットワーク接続装置のブロック図
【符号の説明】
１  ネットワーク接続装置
２  ＩＥＥＥ１３９４規格に準拠した伝送路
３  第１の通信手段
４  無線通信路
５  第２の通信手段
６  通信手順変換手段
６ａ  マイクロコンピュータ
６ｂ  ＲＯＭ
６ｃ  ＲＡＭ
７  無線伝送装置
８  無線伝送装置と機器としてのテレビが接続されたモジュール
９  無線伝送装置と機器としてのテレビが接続されたモジュール
１２  ＩＥＥＥ１３９４規格に準拠した伝送路
１３  第１の通信手段
１４  無線通信路
１５  第２の通信手段
１６  通信手順変換手段
１６ａ  マイクロコンピュータ
１６ｂ  ＲＯＭ
１６ｃ  ＲＡＭ
１７  無線伝送装置
１８  無線伝送装置と機器としてのテレビが接続されたモジュール
１９  無線伝送装置と機器としてのテレビが接続されたモジュール
２０  表示手段
【図１】
2004207997.tif 000003
【図２】
2004207997.tif 000004
【図３】
2004207997.tif 000005